(57)【要約】    【課題】刷版の位置合わせを極めて正確に簡単にできると共に、刷版の版胴本体への巻き付けも極めて簡単に行うことができる、間欠輪転オフセット印刷装置。    【解決手段】版胴本体３５に刷版３６の巻き始め端３６ａを固定してこの版胴本体３５に刷版３６を巻いていき刷版３６に緊張を与えて巻き終わり端３６ｂを版胴本体３５に固定する間欠輪転オフセット印刷装置において、版胴本体３５の一側に版胴本体円Ｓよりも所要凹んでいる刷版固定部３５aを形成し、この刷版固定部３５aの一側に刷版３６の巻き始め端３６aを固定する第１固定手段５０を設け、この第１固定手段５０は、版胴本体３５の一母線方向に離れた複数の位置決めピン５３を有し、この位置決めピン５３に刷版３６の巻き始め端３６ａに形成した複数の位置決め用切り欠きを係合させて位置決めする刷版３６の巻き始め端３６ａを固定する。【選択図】図４
2008018591.tif 000002
【特許請求の範囲】
【請求項１】
版胴本体に刷版の巻き始め端を固定してこの版胴本体に刷版を緊張を与えて巻いて巻き終わり端を版胴本体に固定する版胴を備えた間欠輪転オフセット印刷装置において、
前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、
前記第１固定手段は、前記版胴本体の一母線方向に離れた複数の位置決めピンを有し、この位置決めピンに前記刷版の巻き始め端に形成した複数の位置決め用切り欠きを係合させて位置決めする前記刷版の巻き始め端を固定するように構成され、
前記第２固定手段は、前記版胴本体の内部に孔軸を版胴本体の軸方向に合わせて形成されかつ前記刷版固定部に一側が開いている孔に収容されていて母線方向に延びた深いスリットを有する回転可能なリール軸と、この軸体の回転を固定するリール軸固定手段とを有し、リール軸のスリットに前記刷版の折り返し加工を施した巻き終わり端を差込んでリール軸で刷版を巻き込み、リール軸固定手段でリール軸を回転不能に固定するように構成されている、ことを特徴とする間欠輪転オフセット印刷装置。
【請求項２】
前記リール軸が前記刷版を巻き込み回転することを許すように、ベアリング外輪が前記版胴本体に解除可能に締付固定されていると共に、ベアリング内輪が前記リール軸の軸端部と嵌合するワンウエイクラッチベアリングを備えて、このワンウエイクラッチベアリングを前記リール軸固定手段とした、ことを特徴とする請求項１記載の間欠輪転オフセット印刷装置。
【請求項３】
前記第１固定手段は、前記刷版固定部の平滑面と、この平滑面の版胴本体周面に近い位置にこの平滑面により僅少寸法高く形成された段差凸部と、前記平滑面より突出していて前記版胴本体の一母線方向に離れた複数の位置決めピンと、前記刷版の巻き始め端に形成した複数の位置決め用切り欠きを前記複数の位置決めピンに係合させて位置決めする前記刷版の巻き始め端を外方から挟圧する爪と、この爪を前記平滑面へ密着する方向に移動させて固定状態にする締め付け手段とを有し、前記段差凸部と前記爪とで前記刷版の巻き始め端に段差部を折り曲げ形成して前記刷版の巻き始め端を前記爪と前記平滑面とで挟圧して固定するように構成されている、ことを特徴とする請求項１又は２記載の間欠輪転オフセット印刷装置。
【請求項４】
版胴本体に刷版の巻き始め端を固定してこの版胴本体に刷版を緊張を与えて巻いて巻き終わり端を版胴本体に固定する間欠輪転オフセット印刷装置用版胴において、
前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、
第１固定手段は、前記刷版固定部の平滑面と、この平滑面の版胴本体周面に近い位置にこの平滑面により僅少寸法高く形成された段差凸部と、前記平滑面より突出していて前記版胴本体の一母線方向に離れた複数の位置決めピンと、前記刷版の巻き始め端に形成した複数の位置決め用切り欠きを前記複数の位置決めピンに係合させて位置決めする前記刷版の巻き始め端を外方から挟圧する爪と、この爪を前記平滑面へ密着する方向に移動させて固定状態にする締め付け手段とを有し、前記段差凸部と前記爪とで前記刷版の巻き始め端に段差部を折り曲げ形成して前記刷版の巻き始め端を前記爪と前記平滑面とで挟圧して固定するように構成され、
前記第２固定手段は、前記版胴本体の内部に孔軸を版胴本体の軸方向に合わせて形成されかつ前記刷版固定部に一側が開いている孔に収容されていて母線方向に延びた深いスリットを有する回転可能なリール軸と、この軸体の回転を固定するリール軸固定手段とを有し、リール軸のスリットに前記刷版の折り返し加工を施した巻き終わり端を差込んでリール軸で刷版を巻き込み、リール軸固定手段でリール軸を回転不能に固定するように構成されている、ことを特徴とする間欠輪転オフセット印刷装置用版胴。
【発明の詳細な説明】
【技術分野】
【０００１】
本発明は、ラベル印刷、その他印刷方向の長さ（リピート長）が極めて短い印刷に適した間欠輪転オフセット印刷装置及び間欠輪転オフセット印刷装置用版胴に関する。
【背景技術】
【０００２】
従来、間欠輪転オフセット印刷装置における版胴における刷版の取り付け構造は、前記版胴に設けられていて前記版胴に巻かれる刷版の巻き始め端を固定する第１固定手段と、前記版胴に設けられていて前記第１固定手段で前記刷版の巻き始め端を固定した後に前記刷版の巻き終わり端を支持して前記刷版に緊張を与えて前記版胴に巻き付いた状態に固定する第２固定手段とを備えてなる。この構造は、従来のオフセット印刷装置の場合と同一である。
【０００３】
図６は、従来のオフセット印刷装置における版胴における刷版の取り付け構造を示す（特許文献１参照）。
図６に示す版胴１０は、内軸１１と外筒１２とを一体に固定してなる二重軸構造である。外筒１２は、周方向の１ヶ所が母線方向に細いスリットを有しこのスリットに臨む一端が４５°の内方傾斜面を有する楔状端縁部１２ａとなっていて、この楔状端縁部１２ａが第１固定手段となっている。内軸１１は、外筒１２のスリットに対応下位置に凹部１１ａを有していて、この凹部１１ａに第２固定手段であるリールロッド１３を備えている。
刷版１４は、巻き始め端と巻き終わり端をそれぞれ版胴１０への巻き付け面側に４５°の鋭角に折り返し加工を施して第１引掛け部１４ａ及び第２引掛け部１４ｂとして、第１引掛け部１４ａを外軸１２の楔状端縁部１２ａに引掛け、次いで刷版１４を版胴１０へ巻き付けていき、刷版１４の巻き終わり端を４５°になるように鋭角に折り返し加工して第２引掛け部１４ｂをリールロッド１３のスリットに差し込んでから、刷版１４を巻き取る方向にリールロッド１３を回動させて刷版１４に緊張を与えて外筒１２に密着状態に巻き付けた状態にしていた。
間欠輪転オフセット印刷装置においても、図６に示す刷版の取り付け構造と同一である。
【特許文献１】特表２０００−５０８９８３号公報  図６
【発明の開示】
【発明が解決しようとする課題】
【０００４】
間欠輪転オフセット印刷装置によるラベル印刷において、版胴における刷版の位置決めは、版胴の周方向及び母線方向のずれをそれぞれ約１０ミクロン以下に抑える必要があり、ずれが大きくなると、重ね刷り印刷にずれが生じて印刷の品質が低下することになる。従って、刷版の位置決めは、時間をかけても正確に行われている。近年、刷版を自動的に交換するようにした刷版自動交換装置が種々提案されているが、実用に至っていない。
図６に示す従来の刷版の取り付け構造は、刷版を精密に位置決めすることが難しく、刷版の交換に時間がかかっていたので、印刷装置の稼働率を上げることができなかった。従って、小ロットの印刷ニーズに対応させて印刷コストを抑えるために、印刷装置の稼働率を上げる改善が要望されていた。
【０００５】
本発明の目的は、上述した点に鑑みなされたものであり、刷版の位置合わせを極めて正確に簡単にできると共に、刷版の版胴本体への巻き付けも極めて簡単に行うことができて、刷版の交換を短時間に行うことができるから、小ロットの印刷ニーズに合わせて印刷装置の稼働率を上げることができる、間欠輪転オフセット印刷装置及び間欠輪転オフセット印刷装置用版胴を提供することにある。
【課題を解決するための手段】
【０００６】
上記目的を達成するため、本発明の間欠輪転オフセット印刷装置は、版胴本体に刷版の巻き始め端を固定してこの版胴本体に刷版を緊張を与えて巻いて巻き終わり端を版胴本体に固定する版胴を備えた間欠輪転オフセット印刷装置において、前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、記第１固定手段は、前記版胴本体の一母線方向に離れた複数の位置決めピンを有し、この位置決めピンに前記刷版の巻き始め端に形成した複数の位置決め用切り欠きを係合させて位置決めする前記刷版の巻き始め端を固定するように構成され、前記第２固定手段は、前記版胴本体の内部に孔軸を版胴本体の軸方向に合わせて形成されかつ前記刷版固定部に一側が開いている孔に収容されていて母線方向に延びた深いスリットを有する回転可能なリール軸と、この軸体の回転を固定するリール軸固定手段とを有し、リール軸のスリットに前記刷版の折り返し加工を施した巻き終わり端を差込んでリール軸で刷版を巻き込み、リール軸固定手段でリール軸を回転不能に固定するように構成されている、ことを特徴とする。
【０００７】
上記特徴の構成によれば、位置決めピンに刷版の巻き始め端に形成した位置決め用切り欠きを係合させるだけで位置決めが行えて、刷版の巻き始め端を第１固定手段で固定してから、刷版を版胴本体に巻き付けて行き、刷版の巻き終わり端をリール軸のスリットに差込んでリール軸を回転すると、リール軸に刷版を巻き込むことができて、リール軸固定手段でリール軸を回転不能に固定すると、刷版は、リール軸に巻かれて緊張を与えられて版胴本体に密着した状態に保持される。従って、刷版の位置合わせを極めて正確に簡単にできると共に、刷版の版胴本体への巻き付けも極めて簡単に行うことができて、刷版の交換を短時間に行うことができるから、小ロットの印刷ニーズに合わせて印刷装置の稼働率を上げることができる。
【０００８】
上記特徴の構成において、前記リール軸が前記刷版を巻き込み回転することを許すように、ベアリング外輪が前記版胴本体に解除可能に締付固定されていると共に、ベアリング内輪が前記リール軸の軸端部と嵌合するワンウエイクラッチベアリングを備えて、このワンウエイクラッチベアリングを前記リール軸固定手段とすることが好ましい。
【０００９】
この構成にすると、刷版を取付ける際にはワンウエイクラッチベアリングの外輪の締付固定してからリール軸を巻き込み回転していく。刷版は、リール軸に巻かれて行き、緊張を与えられて版胴本体に密着する。そこで、リール軸の巻き込み回転を停止すると、ワンウエイクラッチベアリングの働きでリール軸は戻り回転せずに停止したままとなり、刷版を版胴本体に緊張密着した状態に維持できる。刷版を取り外す際には、ワンウエイクラッチベアリングの外輪の締付固定を解除すると、リール軸は戻り回転指せることができるので、リール軸に形成されたスリットを刷版固定部へ向かせることができ、刷版の取り外しができる。従って、刷版の取り付け時間を短縮できる。
【００１０】
さらに上記特徴の構成において、前記第１固定手段は、前記刷版固定部の平滑面と、この平滑面の版胴本体周面に近い位置にこの平滑面により僅少寸法高く形成された段差凸部と、前記平滑面より突出していて前記版胴本体の一母線方向に離れた複数の位置決めピンと、前記刷版の巻き始め端に形成した複数の位置決め用切り欠きを前記複数の位置決めピンに係合させて位置決めする前記刷版の巻き始め端を外方から挟圧する爪と、この爪を前記平滑面へ密着する方向に移動させて固定状態にする締め付け手段とを有し、前記段差凸部と前記爪とで前記刷版の巻き始め端に段差部を折り曲げ形成して前記刷版の巻き始め端を前記爪と前記平滑面とで挟圧して固定する構成とすることが好ましい。
【００１１】
この構成にすると、段差凸部と爪とで刷版の巻き始め端に段差部を折り曲げ形成して刷版の巻き始め端を爪と平滑面とで挟圧して固定することができるので、刷版の巻き始め端の固定を無理なく極めて強固に確実に行えるから、刷版を巻き終わり端側で引っ張って刷版に十分な緊張を与えても刷版の巻き始め端の固定がずれることがなく精密が位置決めが保障される。
【００１２】
本発明の間欠輪転オフセット印刷装置用版胴は、版胴本体に刷版の巻き始め端を固定してこの版胴本体に刷版を緊張を与えて巻いて巻き終わり端を版胴本体に固定する間欠輪転オフセット印刷装置用版胴において、前記版胴本体の一側に版胴本体円よりも所要凹んでいる刷版固定部を形成し、この刷版固定部の一側に刷版の巻き始め端を固定する第１固定手段を設けると共に、他側に刷版の巻き終わり端を固定する第２固定手段を設け、第１固定手段は、前記刷版固定部の平滑面と、この平滑面の版胴本体周面に近い位置にこの平滑面により僅少寸法高く形成された段差凸部と、前記平滑面より突出していて前記版胴本体の一母線方向に離れた複数の位置決めピンと、前記刷版の巻き始め端に形成した複数の位置決め用切り欠きを前記複数の位置決めピンに係合させて位置決めする前記刷版の巻き始め端を外方から挟圧する爪と、この爪を前記平滑面へ密着する方向に移動させて固定状態にする締め付け手段とを有し、前記段差凸部と前記爪とで前記刷版の巻き始め端に段差部を折り曲げ形成して前記刷版の巻き始め端を前記爪と前記平滑面とで挟圧して固定するように構成され、前記第２固定手段は、前記版胴本体の内部に孔軸を版胴本体の軸方向に合わせて形成されかつ前記刷版固定部に一側が開いている孔に収容されていて母線方向に延びた深いスリットを有する回転可能なリール軸と、この軸体の回転を固定するリール軸固定手段とを有し、リール軸のスリットに前記刷版の折り返し加工を施した巻き終わり端を差込んでリール軸で刷版を巻き込み、リール軸固定手段でリール軸を回転不能に固定するように構成されている、ことを特徴とする。
【００１３】
この特徴の構成によれば、位置決めピンに刷版の巻き始め端に形成した位置決め用切り欠きを係合させるだけで位置決めが行えて、段差凸部と爪とで刷版の巻き始め端に段差部を折り曲げ形成して刷版の巻き始め端を爪と平滑面とで挟圧して固定することができるので、刷版の巻き始め端の固定を無理なく極めて強固に確実に行えるから、刷版を巻き終わり端側で引っ張って刷版に十分な緊張を与えても刷版の巻き始め端の固定がずれることがなく精密が位置決めが保障される。こうして、刷版の巻き始め端を第１固定手段で固定してから、刷版を版胴本体に巻き付けて行き、ワンウエイクラッチベアリングの外輪の締付固定してから、刷版の巻き終わり端をリール軸のスリットに差込んでから、リール軸を巻き込み回転していく。刷版は、リール軸に巻かれて行き、緊張を与えられて版胴本体に密着する。そこで、リール軸の巻き込み回転を停止すると、ワンウエイクラッチベアリングの働きでリール軸は戻り回転せずに停止したままとなり、刷版を版胴本体に緊張密着した状態に維持できる。刷版を取り外す際には、ワンウエイクラッチベアリングの外輪の締付固定を解除すると、リール軸は戻り回転指せることができるので、リール軸に形成されたスリットを刷版固定部へ向かせることができ、刷版の取り外しができる。従って、刷版の取り付け時間を短縮できる。従って、刷版の位置合わせを極めて正確に簡単にできると共に、刷版の版胴本体への巻き付けも極めて簡単に行うことができて、刷版の交換を短時間に行うことができるから、小ロットの印刷ニーズに合わせて印刷装置の稼働率を上げることができる。
【発明の効果】
【００１４】
本発明によれば、刷版の位置合わせを極めて正確に簡単にでき、刷版の巻き始め端をしっかりと固定できると共に、刷版の版胴本体への巻き付けと刷版の巻き終わり端の固定を極めて簡単に行うことができて、刷版の交換を短時間に行うことができるから、小ロットの印刷ニーズに合わせて印刷装置の稼働率を上げることができる。
【発明を実施するための最良の形態】
【００１５】
以下、本発明の実施の形態の間欠輪転オフセット印刷装置を図面を参照して説明する。
図１は、第１の実施の形態の間欠輪転オフセット印刷装置を全体正面図を示す。
図１に示す間欠輪転オフセット印刷装置は、給紙部２１と、インキ色の異なる複数組、図では５組の印刷部２２，２３，２４，２５，２６と、ダイカットロール部２７と、印刷部２２〜２６及びダイカットロール部２７を挟んでウエブに間欠往復走行を与える一対のグリップロール２８，２９と、各印刷部の下流側に設置されるＵＶ照射乾燥部３０と、巻取部３１を備え、これらにウェブＷを順次通紙させ、色を重ね合わせることで多色印刷を行なうことができるように構成されている。
【００１６】
図２は図１における印刷部２２の概略拡大図である。印刷部２３〜２６も、印刷部２２と同一の構成である。
印刷部２２は、非真円の版胴本体３５の周面に巻かれる刷版３６の巻き始め端縁と巻き終わり端縁を固定してなる版胴と、刷版３６に対して画線部以外の部分に浸し水を与える浸し装置３７と、刷版３６に対して接触回転して画線部にインキを供給するインキング装置３８と、刷版３６に接触して転がり回転するブランケット胴３９と、ブランケット胴３９の円周部に対して印圧を加えて転がり回転する圧胴４０を有し、刷版３６の画線部に供給するインキをブランケット胴３９に転移しさらにブランケット胴３９と圧胴４０の間に通す被印刷対象のウエブＷに転移・印刷するように構成されている。
【００１７】
インキング装置３８は、インキつぼに供給されるインキを、インキローラ群に順次転移する過程で適度に練った後、インキ着けローラを介しインキ被膜として刷版３６へ転移供給する。
刷版３６は、例えばアルミニューム板にジアゾ乳剤を主成分とするネガ型感光剤をコートしてなるＰＳ版であり、画像焼付けして非画線部（アルミ地肌面）が親水性であり、画線部のレジスト面が親油性である。
刷版３６は、画線部に転写されたＵＶインキをブランケット胴３９の外周面に転写し、さらに、ブランケット胴３９は、転写されたＵＶインキを圧胴４０との間に挟まれて走行するウェブＷへ転写して印刷を行う。
【００１８】
印刷部２２〜２６は、５色刷りの間欠輪転オフセット印刷装置を構成しており、版胴とブランケット胴３９は、非真円（円周の一側が凹んでいる）、圧胴４０は真円である。
グリップロール２８，２９は、刷版３６とブランケット胴３９と圧胴４０とが一回転よりも小さい一定角度で往回転方向に転がり回転して印刷を行うとき、同期して回転してウエブＷを一定ストローク前方へ送り、そして、ブランケット胴３９の扁平部が圧胴４０側に来て圧胴４０から離れるときには、前記一回転よりも小さい一定角度で復回転してウエブＷを前方へ送るストロークよりも短いストロークだけ戻すようになっている。間欠輪転オフセット印刷装置は、これを反復することにより、リピート長の小さい印刷を行う。
【００１９】
図３は版胴の概略拡大断面図である。
この実施形態の版胴は、版胴本体３５の一側に版胴本体円Ｓよりも所要凹んでいる段差平面の刷版固定部３５ａを有し、この刷版固定部３５ａの一側に第１固定手段５０を設けると共に、この刷版固定部３５ａの他側に第２固定手段６０を設け、刷版３６の巻き始め端３６ａを第１固定手段５０で固定して，この版胴本体３５に刷版３６を巻いていき，第２固定手段６０で刷版３６に緊張を与えて巻き終わり端３６ｂを固定するように構成されている。
【００２０】
この第１固定手段５０は、前記刷版固定部３５ａに形成された平滑面５１と、この平滑面５１の版胴本体３５周面に近い位置にこの平滑面５１により僅少寸法高く形成された段差凸部５２と、前記平滑面５１の段差凸部５２に寄った位置に突出していて前記版胴本体３５の一母線方向に離れた複数の位置決めピン５３と、前記位置決めピン５３よりも前記段差凸部５２に対して離れた位置に平滑面５１より突出していて前記版胴本体３５の一母線方向に離れた複数のスタッドボルト５４と、前記位置決めピン５３及び前記スタッドボルト５４に精密に嵌合して上下に案内される外方から挟圧する爪５５と、この爪５５を前記平滑面５１へ密着する方向に移動させて固定状態にする締付ナット５６と座金５７とばね座金５８と、爪５５を持ち上げるばね５９とを有して構成されている。スタッドボルト５４は、リーマボルトであることが好ましい。位置決めピン５３は、耐磨耗性が大きく、防錆性が大きい材料を用いることが好ましい。
【００２１】
この第１固定手段５０は、締付ナット５６を弛めるとばね５９の付勢により爪５５を持ち上げることができ、爪５５と平滑面５１との間に１．５ｍｍ位の隙間を空けると、この隙間に刷版３６の巻き始め端を差込むことができる。刷版３６の巻き始め端に形成した複数の位置決め用切り欠き３６ｃを位置決めピン５３にぴったり係合させると、刷版３６の巻き始め端の精密な位置決めを行うことができる。位置決め用切り欠き３６ｃが位置決めピン５３から離れないように刷版３６を手で抑えて、締付ナット５６を締め付けると、刷版３６の位置決めが完了し、精密な位置決めができる。
締付ナット５６を締め付けると、段差凸部５２と爪５５とで刷版３６の巻き始め端３６ａに段差部３６ｃを折り曲げ形成することになり、刷版３６の巻き始め端３６ａを爪５５と平滑面５１とで挟圧して固定することができる。前記段差部３６ｃが形成されることで、刷版３６の巻き始め端３６ａは、外方へ引き出そうとする外力が強く働いても、爪５５と平滑面５１とによる刷版３６の巻き始め端３６ａの挟圧固定に段差部３６ｃでの抵抗が加わり、刷版３６の巻き始め端３６ａの固定がずれることがなく、精密な位置決めが保障される。
【００２２】
図５は、第２固定手段６０を示す。
第２固定手段６０は、母線方向に延びた深いスリット６１ａを有する回転可能なリール軸６１と、このリール軸６１の回転を固定するリール軸固定手段としてワンウエイクラッチベアリング６２とを有してなる。
前記リール軸６１は、版胴本体３５の内部に孔軸を版胴本体の軸方向に合わせて形成されかつ刷版固定部３５ａに一側が開いている孔３５ｂに収容されている。
前記リール軸６１は、版胴本体３５に両端面に形成した軸穴に嵌合したベアリング６３，６３に両端の軸端部６１ｂ、６１ｃが嵌挿され、ベアリング６３，６３を介して版胴本体３５に両端支持された状態に収容されている。
【００２３】
そして、一端に鍔部を有する薄肉なスリーブ状に形成され鍔部を除く部分の外面がテーパ面となっていてかつ母線方向に延びるスリットを円周方向に複数配設してなる締付リング６４がワンウエイクラッチベアリング６２のベアリング外輪６２ａに被さって、この締付リング６４の鍔部を版胴本体３５の端面に挟み付ける連結リング６５が版胴本体３５に螺合されていることにより、ベアリング外輪６２ａは、締付リング６４内に回転可能に収容されている。
さらに、ねじ締めリング６５の内側に締付ナット６６をねじ込むように構成されていて、締付ナット６６をねじ込んで行くと、締付ナット６６に形成したテーパ内面が前記締付リング６４のテーパ外面と摺接してこのテーパ外面を縮径していくので、ワンウエイクラッチベアリング６２のベアリング外輪６２ａを締付固定することができ、反対に、締付ナット６６のねじ込みを弛めればベアリング外輪６２ａの締付固定を解除することができる。
【００２４】
このワンウエイクラッチベアリング６２は、ベアリング外輪６２ａを締付固定した状態において、ベアリング内輪６２ｂが回転できる方向が、リール軸６１が刷版３６を巻き込み回転する方向と一致している。
そうして、リール軸６１は、ワンウエイクラッチベアリング６２よりも側方に延びる角軸部６１ｄを有していて、この角軸部６１ｄをレンチを嵌合してこのレンチを回すことでリール軸６１を刷版３６を巻き込み回転する方向に回転させることができる。
従って、第２固定手段６０は、リール軸６１のスリット６１ａに刷版３６の４５°に折り返し加工を施した巻き終わり端３６ｂを差込んで図３に示すように刷版３６が版胴本体３５に対して弛んでいて密着していない状態から、レンチ（図示しない）を角軸部６１ｄに嵌合してこのレンチを手回しすることにより、図４に示すように、リール軸６１で刷版３６を巻き込んで、この刷版３６を版胴本体３５に対して密着し緊張状態とすることができて、レンチから手を離すとワンウエイクラッチベアリング６２の機能によりリール軸６１が反巻き込み方向には回転不能となるように構成されている。
【００２５】
上記実施形態の間欠輪転オフセット印刷装置によれば、位置決めピン５３に刷版３６の巻き始め端３６ａに形成した位置決め用切り欠き３６ｃを係合させるだけで位置決めが行えて、段差凸部５２と爪５５とで刷版３６の巻き始め端３６ａに段差部３６ｄを折り曲げ形成して刷版３６の巻き始め端３６ａを爪５５と平滑面５１とで挟圧して固定することができるので、刷版３６の巻き始め端３６ａの固定を無理なく極めて強固に確実に行えるから、刷版３６を巻き終わり端３６ｂ側で引っ張って刷版に十分な緊張を与えても刷版３６の巻き始め端３６ａの固定がずれることがなく精密が位置決めが保障される。
【００２６】
こうして、刷版３６の巻き始め端３６ａを第１固定手段５０で固定してから、刷版３６を版胴本体３５に巻き付けて行き、ワンウエイクラッチベアリング６２のベアリング外輪６２ａを締付固定してから、刷版３６の巻き終わり端３６ｂをリール軸６１のスリット６１ａに差込んでから、リール軸６１を巻き込み回転していく。刷版３６は、リール軸６１に巻かれて行き、緊張を与えられて版胴本体３５に密着する。そこで、リール軸６１の巻き込み回転を停止すると、ワンウエイクラッチベアリング６２の働きでリール軸６１は戻り回転せずに停止したままとなり、刷版３６を版胴本体３５に緊張密着した状態に維持できる。
【００２７】
刷版３６を取り外す際には、ワンウエイクラッチベアリング６２のベアリング外輪６２ａの締付固定を解除すると、リール軸６１をレンチで戻り回転させることができるので、リール軸６１に形成されたスリット６１ａを刷版固定部３５ａへ対向させることができ、刷版３６を取り外しすることができる。
【００２８】
上記のように、上記実施形態の間欠輪転オフセット印刷装置によれば、第１固定手段５０と第２固定手段６０とで刷版３６を版胴本体３５に巻き付けて、上記のように印刷を行い、印刷終了後は、第１固定手段５０と第２固定手段６０を弛めて次に印刷するために使用する刷版と交換する。
従って、刷版の取り付け時間を短縮できる。従って、刷版の位置合わせを極めて正確に簡単にできると共に、刷版の版胴本体への巻き付けも極めて簡単に行うことができて、刷版の交換を短時間に行うことができるから、小ロットの印刷ニーズに合わせて印刷装置の稼働率を上げることができる。
【００２９】
本発明は、上記の実施形態に限定されるものでなく、要旨を逸脱しない範囲の種々の設計変更を含むものである。
ブランケット胴３９について、版胴とほぼ同一の構成としてブランケット（ゴム）をブランケット胴本体に巻き付ける構成とした場合も含む。
爪５５を締め付ける手段は、スタッドボルト５４と締付ナット５６の組み合わせに限定されない。爪５５を締め付ける手段として、倍力リンク機構などを用いても良い。また、上記実施形態では、版胴本体３５にリーマ孔を開けて位置決めピン５３を強制嵌入しているが、爪５５に一体に設けて、版胴本体３５にリーマ孔にスライド可能に嵌合していても良い。
【図面の簡単な説明】
【００３０】
【図１】本発明の実施形態の間欠輪転オフセット印刷装置を全体正面図を示す。
【図２】図１における印刷部の概略拡大図である。
【図３】刷版が弛んでいる版胴の概略拡大断面図である。
【図４】刷版が緊張している版胴の概略拡大断面図である。
【図５】図４におけるＶ−Ｖ断面図である。
【図６】従来の版胴の部分拡大断面図である。
【符号の説明】
【００３１】
３５  版胴本体
３５ａ  刷版固定部
３５ｂ  孔
３６  刷版
３６ａ  刷版の巻き始め端
３６ｂ  刷版の巻き終わり端
５０  第１固定手段
５１  平滑面
５２  段差凸部
５３  位置決めピン
５４，５６  スタッドボルト、締付ナット（締付手段）
５５  爪
６０  第２固定手段
６１  リール軸
６２  ワンウエイクラッチベアリング（リール軸固定手段）
６２ａ  ベアリング外輪
６２ｂ  ベアリング内輪
【図１】
2008018591.tif 000003
【図２】
2008018591.tif 000004
【図３】
2008018591.tif 000005
【図４】
2008018591.tif 000006
【図５】
2008018591.tif 000007
【図６】
2008018591.tif 000008